(57)【要約】筆記具はケーシング（２）と、この中に可動に配置された筆記カートリッジ（４）と、制御ユニットを含み、制御ユニットにより筆記カートリッジ（４）を、カートリッジ先端（６）が筆記のためにケーシング（２）から引き出された第１の位置へスライド可能、かつ筆記カートリッジはケーシングの中に引き戻された第２の位置へ可動であり、第１の位置で筆記具は筆記に適した全長を示し、第２の位置では筆記具が短くなる。取扱性が向上するように筆記具を少ない構成コストで作成すべきであり、１回の操作で筆記カートリッジが筆記位置にき、筆記具が自動的に伸長すべきである。そのため、ケーシング（２）の延長部として構成された押圧部（８）が設けられ、押圧部は、筆記カートリッジ（４）を第１の位置へも、第２の位置へも動かすために操作可能であり、押圧部（８）は第１の位置でケーシング（２）の後側端部から繰り出されることが提案される。
2004524991.tif 000002
【特許請求の範囲】
【請求項１】
筆記具であって、ケーシング（２）と、この中に可動に配置された筆記カートリッジ（４）と、制御ユニットとを含んでおり、この制御ユニットによって筆記カートリッジ（４）が、筆記のためにカートリッジ先端（６）がケーシング（２）から引き出される第１の位置へスライド可能であり、さらに筆記カートリッジはケーシングの中に引き戻された第２の位置へ可動であり、第１の位置にあるとき筆記具は筆記に適した全長を示しており、第２の位置にあるときは筆記具が短くなり、
ケーシング（２）の延長部として構成された押圧部（８）が設けられており、この押圧部は、筆記カートリッジ（４）を第１の位置へ動かすためにも第２の位置へ動かすためにも操作可能であり、押圧部（８）は第１の位置のときにケーシング（２）の後端から繰り出されていることを特徴とする、筆記具。
【請求項２】
押圧部（８）がケーシング（２）の後端からばね（４４）によって繰り出し可能なように配置されており、および／または前記ばね（４４）が圧縮ばねとして構成されており、および／または少なくとも部分的に押圧部（８）の内部に配置されていることを特徴とする、請求項１に記載の筆記具。
【請求項３】
制御ユニットが、ケーシング２と結合された切換スリーブ（２４）と、軸方向に可動、かつ、さらに長軸（１４）を中心として回転可能なカム部分（３６）とを含んでいることを特徴とする、請求項１または２に記載の筆記具。
【請求項４】
切換スリーブ（２４）がケーシング（２）の中で軸方向に固定されるとともに、長軸（１４）を中心として回転をしないように固定されていることを特徴とする、請求項１から３のいずれか一項に記載の筆記具。
【請求項５】
切換スリーブ（２４）が、切換スリーブ（２４）の第１の切換カム（４６）と係合する連結部材（４８）を有しており、この連結部材は特に半径方向内側に向いたピンとして構成されていることを特徴とする、請求項１から４のいずれか一項に記載の筆記具。
【請求項６】
カム部分（３６）が、筆記カートリッジ（４）を少なくとも部分的に収容するための前側の中空部（３８）を有するとともに、さらに前記ばね（４４）を少なくとも部分的に収容するための後側の中空部（４０）を有しており、および／またはカム部分（３６）が、一方で筆記カートリッジ、他方で前記ばね（４４）を支持する中間壁（４２）を含んでいることを特徴とする、請求項１から５のいずれか一項に記載の筆記具。
【請求項７】
カム部分（３６）が第１の切換カム（４６）と、さらに第２の切換カム（５２）とを有しており、第２の切換カム（５２）が押圧部（８）の運動を制御するように構成されており、および好ましくは短く押し縮められた位置で押圧部（８）を固定するように構成されていることを特徴とする、請求項１から６のいずれか一項に記載の筆記具。
【請求項８】
第１の切換カム（４６）が、第１および第２の位置の設定と係止をするように構成されており、および／またはハート型カムとして構成されていることを特徴とする、請求項１から７のいずれか一項に記載の筆記具。
【請求項９】
第２の切換カム（５２）がＴ字型カムとして構成されており、および／または実質的に円周方向に延びるカム部分（６６）を含んでいることを特徴とする、請求項１から８のいずれか一項に記載の筆記具。
【発明の詳細な説明】
【０００１】
本発明は、請求項１の導入部に記載する構成要件に基づく筆記具に関する。
【０００２】
米国特許第２６２７８４３号明細書より、ケーシングが、入れ子式に互いに押込み可能な２つの部分でできている、このような種類の筆記具が公知である。前側部分には筆記カートリッジが配置されており、この筆記カートリッジは制御ユニットによって、第１の位置のときには筆記をするためにカートリッジ先端が前側部分から突出するとともに、第２の位置のときにはカートリッジ先端が前側部分の中に引き込まれるように、軸方向へスライド可能である。制御ユニットは、軸方向へスライド可能、かつ部分的に回転可能なように配置された第１のスリーブを含んでおり、この第１のスリーブに筆記カートリッジが挟み込まれており、筆記カートリッジは必要に応じてケーシング先端を外した後に第１のスリーブから取出し可能である。回転可能な制御スリーブの外面にある短い螺旋溝に前側部分のピンが係合しているので、第１のスリーブは回転時に軸方向へスライドし、それによって筆記カートリッジが第１または第２の位置へと変位する。ケーシングの後側部分は、軸方向のスリットをもつ第２のスリーブを内部に含んでおり、このスリットには、前側部分の後端に設けられた突起が係合している。さらに後側部分の第２のスリーブは、軸方向で見て内方に向いている更なる突起を含んでおり、この更なる突起は前側部分の、制御スリーブの第２の長い螺旋溝に係合している。前側部分と後側部分を押し縮めると、後側部分に回転不能に配置されている更なるスリーブの、第１のスリーブの長い螺旋溝に係合する突起によって、第１のスリーブが相応に回転し、前側の短い螺旋溝との連動によって第１のスリーブが軸方向で見て後方に向かって変位し、それによってカートリッジ先端がケーシングの内部の、第２の位置に引き戻される。この第２の位置では、両方のケーシング部分が入れ子式に互いに押し込まれ、このケーシングは全体として短い全長を示している。筆記カートリッジないし筆記先端を第１の位置ないし筆記位置へと移動させるには、ケーシング前側部分とケーシング後側部分を軸方向で互いに引き離し、前述した機能が逆向きに進行し、第１のスリーブが筆記カートリッジとともに軸方向で前方に向かってスライドして、カートリッジ先端がケーシングから第１の位置または筆記位置へと変位する。両方のケーシング部分が完全に引き離されたとき、筆記具はその最大の長さを示している。筆記位置を設定するために、両方のケーシング部分を両手で互いに引き離さなくてはならず、第２の位置を設定するには、これと逆の運動で両方のケーシング部分を互いに押し縮める限り、筆記具の取扱は困難である。そのうえ、筆記位置でも第２の位置でも、両方のケーシング部分の、相互の係止が設けられていない。そのため、両方のケーシング部分の予期しない相対運動によって、一方では適正な筆記に支障が出る可能性があり、あるいは、他方ではカートリッジ先端が第２の位置から外に出て、そのために衣服などが筆記媒体で汚れるという危険がある。
【０００３】
以上を前提とする本発明の課題は、取扱性が向上するように筆記具を少ない構成コストで改良することである。１回の操作によって筆記カートリッジを機能させ、ないしは筆記位置に移動させ、筆記具自体が長く伸びるべきである。筆記具は通常のやり方で手で操作すべきであり、特に、筆記カートリッジを短くしたり休止位置に引き込むのと同じ種類の運動で、筆記に適したサイズになるように伸長可能であるべきである。さらに、筆記カートリッジの、両方の位置の確実な設定が保証されるべきであり、好ましくない操作が、高い機能信頼度で防止されるべきである。
【０００４】
この課題の解決は、本発明の請求項１に記載の構成要件によって行われる。
【０００５】
本発明による筆記具は、機能信頼性の高い構成と、簡単な操作性に優れており、両方の位置の操作と設定が押圧運動のみによって行われる。この筆記具は、押圧部によって操作可能な制御ユニットを含んでおり、この制御ユニットによって筆記カートリッジを筆記位置や引き戻された位置に選択的に移すことができ、その都度の操作と同期して、筆記に適したサイズまで筆記具が伸長され、または整理や保管のために筆記具が短縮される。このようにして、小型の容器、ポケット、特にズボンのポケット、メモ帳、小型のスケジュール帳、小型の日程表などに整理、保管するのに適した小型の筆記具が提供される。制御ユニットは、特に相前後して配置された２つの切換カムを備えるカム部分を含んでおり、第１の切換カムによって筆記カートリッジを筆記位置または引き込まれた位置へ移すことができ、第２の切換カムは、延長部として構成された押圧部をケーシングから繰り出し、または短縮位置に復帰させるようになっている。筆記カートリッジのための、第１の切換カムは、好ましくは、両方の可能な位置で筆記カートリッジの機能信頼性の高い係止が保証されるように、特にハート型カムとして構成されている。押圧部のための切換カムは、好ましくはロック解除用の制御カムとして構成されており、押圧部は、筆記具が短縮されたときのロック位置を初期状態として、ロック解除された後、特にばね力の作用の下で、伸長された位置へと繰り出される。カム部分は回転可能かつケーシングにおいて軸方向へスライド可能なように配置されるのが好都合であり、位置に応じて押圧部の繰り出しを防止するか、または押圧部を解放してロック解除することが出来る。
【０００６】
本発明の発展や特別な構成は、以下の説明および従属請求項に記載されている。
【０００７】
以下に、特別な実施形態を参照しながら本発明をさらに詳しく説明するが、これは本発明を限定するものではない。
【０００８】
図１は、ケーシング２を備える筆記具の軸方向の断面図を示しており、筆記カートリッジ４は第１の位置ないし筆記位置を占めており、筆記カートリッジ４の先端６は筆記のためにケーシング２の前端から押し出されている。ケーシング２の後端には押圧部８が設けられており、この押圧部は、この位置ではその後端でケーシング２から繰り出されており、ケーシングの延長部を形成している。このようにして、筆記をするときに筆記具を適正に持つことが可能である。カートリッジ先端６は、図示した筆記位置のときにケーシング２の前端から部分的に突出する、入れ子部材１０の中に案内されているのが好ましい。圧縮ばねとして構成されており、入れ子ばねと呼ばれるばね１２によって、入れ子部材１０およびこれに伴う筆記カートリッジ４が、長軸１４の方向で後方に向かって押圧されている。別案として、入れ子部材を省略することもでき、この場合、ばねは公知のやり方で筆記カートリッジに直接作用する。ケーシング２は、特に、好ましくは金属からなる実質的に円筒状のスリーブとして構成された上側部分１６と、その前端にネジ付きスリーブ１８とを含んでおり、特に互いに噛み合うネジ山２０、２１によって、固定的で、必要に応じて取外し可能な連結部が設けられている。ネジ付きスリーブ１８は、前側端部で開口部を備えるキャップ２２によって外側を包囲されている。
【０００９】
ケーシング２ないし上側部分１６の内部には、切換スリーブ２４が配置されている。切換スリーブ２４は環状に構成され、ケーシング２に固定されており、特に軸方向で固定されている。そのために、好ましくは半径方向内側に向いている上側部分１６の突起２６を有する係止連結部を設けるのが好ましい。この突起２６は環状に構成されるのが好ましく、切換スリーブ２４の付属の切欠き２８に係合しており、この切欠き２８は同じく環状に構成されるのが好都合である。別案として、この連結部は半径方向外側に向いている切換スリーブの突起を有していてもよく、それに対してケーシング２ないし上側部分１６は対応する切欠きを有している。さらに、上側部分１６の外面の上に突出し、好ましくは筆記具の転がりを防止する役目をする部材３０が、ケーシング２と結合されている。切換スリーブ２４は、前述した部材３０の対応する係止手段と連結するための係止手段３４を備える、後端の方を向いた延長部３２を含んでおり、これらの係止手段はケーシング上側部分１６の開口部を通って内方へ貫通している。このようにして、部材３０によって切換スリーブ２４の回り止めも実現される。
【００１０】
ケーシング２の内部で軸方向に固定され、かつ回り止めされている切換スリーブ２４は、カム部分３６と同じく、すでに述べた制御ユニットの構成要素である。カム部分３６はスリーブとして構成されており、中間壁４２で分離された前側の中空部３８と後側の中空部４０を含んでいる。前側の中空部３８には、カートリッジ先端６を除く筆記カートリッジ４が配置されているのに対して、後側の中空部３８には、押圧部８に作用する圧縮ばね４４が少なくとも部分的に設けられている。筆記カートリッジ４は、その後側端部ないしそこに配置された閉止栓を介して、中間壁４２の前面で支持されている。カム部分３６はその外面に、特にハート型カムとして構成された第１の切換カム４６を有している。切換スリーブ２４は、連結部材４８を介して切換カム４６と連動する。連結部材４８は切換カムまたはハート型カム４６に係合しており、切換スリーブ２４と結合された半径方向内側を向くピン４８であるのが好ましい。カム部分３６はケーシング２の中で軸方向へ可動、かつ、さらに回転可能なように配置されている。押圧部８を軸方向に、つまり、矢印５０で示す常に同じ押圧方向へ操作することによって、制御ユニットは、ケーシング２に固定された切換スリーブ２４および可動のカム部分３６と連動して、筆記カートリッジ４を第１の筆記位置か、または第２の引き戻された休止位置へと選択的に移動させる。
【００１１】
別案として、本発明の枠内で、ばね力を使わずに手動によって、ケーシングの後端から押圧部を引き出すこともできるが、この場合には、あらかじめ押圧部の押圧操作によってケーシングの前端から筆記カートリッジの先端の引き出しが行われる。また、押圧部を操作した後、まずカートリッジ先端を前端から、次に押圧部をケーシングの後端から繰り出す、伝動連結が意図されていてもよい。さらに、押圧部が繰り出された位置でケーシングに対して固定される、係止部材を設けるのが好ましい。
【００１２】
カム部分３６は、軸方向で見て第１の切換カム４６の後方に、第２の切換カム５２を有しているのが好ましく、この第２の切換カムによって押圧部８の制御と位置決めが行われる。押圧部８は、案内スリーブ５４と、これを少なくとも後端で包囲する押しボタンキャップ５６とを含んでおり、案内スリーブ５４と押しボタンキャップ５６とは特に係止部材によって確実に、かつ持続的に相互に結合されている。別案として、本発明の枠内で、押圧部８が一体的に構成されていてもよい。図面から明らかなように、押圧部８の内部に圧縮ばね４４が配置されており、それによって、図示している繰り出された位置へと押圧部８を移動させ、そこで保持する。押圧部ないし案内スリーブ５４は半径方向内側を向いている部材５８を含んでおり、この部材には、別の、つまり、半径方向外側を向いているストッパ部材６０が付属しており、押圧部が繰り出された位置のときに筆記具の後端で固定されるようになっている。ストッパ部材６０は、ばね作用のある舌部としてカム部分３６の後端に構成されるのが格別に好都合である。別案として、本発明の枠内で、軸方向後方に向かう押圧部８の運動を制限するために、ケーシング２と押圧部８が互いに対応するストッパ部材を有していてもよい。
【００１３】
さらに、好ましくは半径方向内側を向いた突起として構成された部材５８は、カム部分３６の第２の切換カム５２に係合する。第２の切換カム５２はＴ型カムとして構成されており、その前側端部に、円周方向に延びる少なくとも１つの溝部分６２を含んでいる。押圧部８が矢印５０の方向へ前方にケーシング２へ押し込まれると、部材５８は溝部分６２に達し、それによってカム部分３６の回転の結果、押し込まれた位置で押圧部８の係止が行われる。ケーシング２で回り止めされている切換スリーブ２４の前述した延長部３２は、押圧部８の内面に配置された軸方向溝と対応しており、押圧部８の回り止めが保証されるようになっている。
【００１４】
図２は筆記位置の筆記具を示しており、伸長のために押圧部８がケーシング２から繰り出されている。さらに、先端６および部分的に入れ子部材１０もケーシング２の前端から、ないしそこに配置されたケーシング２のキャップ２２から、繰り出されている。この筆記位置のとき、筆記カートリッジは上述した制御ユニットによって、および特にハート型カムとして構成された第１の切換カムとこれに付属する切換スリーブによって、ケーシング２の中へ軸方向に引き戻されないように固定されている。
【００１５】
図３は、第２の位置の筆記具を軸方向の断面図として示しており、ここでは押圧部８が大部分、矢印５０の方向への押圧運動の実施の後、ケーシング２の中に押し込まれている。手動で行うことができる押圧部８への押圧運動によって、切換スリーブ２４と、連結部材ないしピン４８と、第１の切換カム４６との連動により、カム部分３６が長軸１４の回りを回転して、押圧部８ないし案内スリーブ５４の半径方向内側を向いている部材５８が、上述した、第２の切換カム５４の、円周方向に延びる溝部分に係合する。それにより、内部に位置する圧縮ばね４４が矢印５０と反対の方向に作用する押圧部８は、予期しない繰り出しが起こらないようにされる。押圧部８はさらにケーシング２に対して回り止めされているので、押圧部８も、ケーシング２の中に引き戻されている筆記カートリッジ４の先端６も、図示している第２の位置に機能的に確実に留まる。
【００１６】
図４に、短く押し縮められた第２の位置の、筆記具が側面図として示されている。筆記具を図１および図２を参照して説明した筆記位置へ再び移行させるため、利用者は特に親指で押圧部８に矢印５０の方向へ押圧運動を実行できるように、ケーシング２を手に持つ。この押圧運動の結果、押圧部８はさらに若干深くまでケーシング２の後側端部に押し込まれ、このとき、制御ユニット、および特に第１の切換カムと切換スリーブとの連動によってカム部分が回転し、第２の切換カムが押圧部８を矢印５０と反対方向へ軸方向に移動できるように解放し、押圧部８が、内側に位置している圧縮ばねによってケーシング２から繰り出され、筆記をするときに筆記具が確実に操られる図１および図２に示す位置へ押圧部が達する。
【００１７】
図５から図７はカム部分３６を断面図と側面図で示しており、図５では簡単化のために、第１の切換カム４６は図示していない。図６によれば、第１の切換カムはハート型カムとして構成されており、繰り出された筆記位置で筆記カートリッジを固定するためにカム部分６６を含んでいる。第２の切換カム５２はＴ字型カムとして構成されるのが好ましく、ケーシングに押し込まれた第２の位置で押圧部を保持するために、円周方向に延びる少なくとも１つの溝部分６２を前端に有している。
【００１８】
図８から図１０は切換スリーブ２４を示しており、図９では、延長部３２にある係止手段３４を良く見ることができる。さらに切換スリーブ２４は、カム部分の第１の切換カムに係合する連結部材またはピン４８を受容するために、実質的に半径方向の開口部または穴６８を含んでいる。
【図面の簡単な説明】
【図１】
筆記位置にある筆記具を示す軸方向の断面図である。
【図２】
図１の筆記具を示す外観図である。
【図３】
押し縮められた第２の位置の筆記具を示す軸方向の断面図である。
【図４】
図３の筆記具を示す外観図である。
【図５】
カム部分を示す断面図と外観図である。
【図６】
カム部分を示す断面図と外観図である。
【図７】
カム部分を示す断面図と外観図である。
【図８】
切換スリーブを示す外観図と断面図である。
【図９】
切換スリーブを示す外観図と断面図である。
【図１０】
切換スリーブを示す外観図と断面図である。
【符号の説明】
２  ケーシング
４  筆記カートリッジ
６  ４の先端
８  押圧部
１０  入れ子部材
１２  ばね／入れ子ばね
１４  長軸
１６  上側部分
１８  ネジ付きスリーブ
２０、２１  ネジ山
２２  キャップ
２４  切換スリーブ
２６  １６の半径方向の突起
２８  ２４の切欠き
３０  部材／転がり防止部
３２  ２４の延長部
３４  係止手段
３６  カム部分
３８  ３６の前側の中空部
４０  ３６の後側の中空部
４２  中間壁
４４  圧縮ばね
４６  第１の切換カム
４８  ２４の連結部材／ピン
５０  矢印
５２  第２の切換カム
５４  案内スリーブ
５６  押しボタンキャップ
５８  ５４の部材
６０  ストッパ部材／舌部
６２  ５２の溝部分
６６  カム部分
６８  開口部／穴
【図１】
2004524991.tif 000003
【図２】
2004524991.tif 000004
【図３】
2004524991.tif 000005
【図４】
2004524991.tif 000006
【図５】
2004524991.tif 000007
【図６】
2004524991.tif 000008
【図７】
2004524991.tif 000009
【図８】
2004524991.tif 000010
【図９】
2004524991.tif 000011
【図１０】
2004524991.tif 000012
【国際公開パンフレット】
2004524991.tif 000013
2004524991.tif 000014
2004524991.tif 000015
2004524991.tif 000016
2004524991.tif 000017
2004524991.tif 000018
2004524991.tif 000019
2004524991.tif 000020
2004524991.tif 000021
2004524991.tif 000022
2004524991.tif 000023
2004524991.tif 000024
2004524991.tif 000025
2004524991.tif 000026
2004524991.tif 000027
2004524991.tif 000028
2004524991.tif 000029
2004524991.tif 000030
2004524991.tif 000031
【手続補正書】
【提出日】平成14年10月16日(2002.10.16)
【手続補正１】
【補正対象書類名】明細書
【補正対象項目名】全文
【補正方法】変更
【補正の内容】
【書類名】明細書
【発明の名称】筆記具
【特許請求の範囲】
【請求項１】筆記具であって、ケーシング（２）と、この中に可動に配置された筆記カートリッジ（４）と、ケーシング（２）の延長部として構成された押圧部（８）と、第１の切換カム（４６）を有する制御ユニットとを含んでおり、この制御ユニットによって筆記カートリッジ（４）が、筆記のためにカートリッジ先端（６）がケーシング（２）から引き出される第１の位置へスライド可能であり、さらに筆記カートリッジ（４）はケーシング（２）の中に引き戻された第２の位置へと可動であり、第１の位置にあるとき筆記具は筆記に適した全長を示しており、第２の位置にあるときは筆記具が短くなっており、制御ユニットは押圧部（８）と連動する第２の切換カム（５２）を有しており、
押圧部（８）が、筆記カートリッジ（４）を動かすために、同じ押圧方向（５０）で第１の位置へも第２の位置もへ操作可能であり、第２の切換カム（５２）は、押圧部（８）を固定するために、短く押し縮められた位置に構成されており、第２の切換カム（５２）は、押し縮められた位置を初期状態として、押圧部（８）が操作されると押圧方向（５０）で押圧部（８）のロック解除が行われ、押圧部をケーシング（２）の後端から第１の位置へ繰り出し可能であるように構成されていることを特徴とする、筆記具。
【請求項２】押圧部（８）がケーシング（２）の後側端部からばね（４４）によって繰り出し可能なように配置されており、前記ばねは特に圧縮ばねとして構成されており、および／または少なくとも部分的に押圧部（８）の内部に配置されていることを特徴とする、請求項１に記載の筆記具。
【請求項３】制御ユニットが、ケーシング（２）と結合された切換スリーブ（２４）と、軸方向に可動、かつ、さらに長軸（１４）を中心として回転可能なカム部分（３６）とを含んでいることを特徴とする、請求項１または２に記載の筆記具。
【請求項４】切換スリーブ（２４）がケーシング（２）の中で軸方向に固定されるとともに、長軸（１４）を中心として回転をしないように固定されていることを特徴とする、請求項３に記載の筆記具。
【請求項５】切換スリーブ（２４）が、カム部分（３６）の第１の切換カム（４６）と係合する連結部材（４８）を有しており、この連結部材は特に半径方向内側に向いたピンとして構成されていることを特徴とする、請求項３または４に記載の筆記具。
【請求項６】カム部分（３６）が、筆記カートリッジ（４）を少なくとも部分的に収容するための前側の中空部（３８）を有するとともに、さらに前記ばね（４４）を少なくとも部分的に収容するための後側の中空部（４０）を有しており、および／またはカム部分（３６）が、一方で筆記カートリッジ（４）、他方で前記ばね（４４）を支持する中間壁（４２）を含んでいることを特徴とする、請求項３から５のいずれか一項に記載の筆記具。
【請求項７】カム部分（３６）が第１の切換カム（４６）と、さらに第２の切換カム（５２）とを有していることを特徴とする、請求項３から６のいずれか一項に記載の筆記具。
【請求項８】第１の切換カム（４６）が、第１および第２の位置の設定と係止をするように構成されており、特にハート型カムとして構成されていることを特徴とする、請求項１から７のいずれか一項に記載の筆記具。
【請求項９】第２の切換カム（５２）がＴ字型カムとして構成されており、および／または実質的に円周方向に延びるカム部分（６２）を含んでいることを特徴とする、請求項１から８のいずれか一項に記載の筆記具。
【発明の詳細な説明】
【０００１】
【発明の属する技術分野】
本発明は、請求項１の導入部に記載する構成要件に基づく筆記具に関する。
【０００２】
このような種類の筆記具は、欧州特許第０４０２５８８Ａ号明細書から公知である。公知となっている筆記具は、ケーシングと、ケーシングの延長部として構成された押圧部と、第１の切換カムを備える制御ユニットとを含んでおり、この制御ユニットによって筆記カートリッジを筆記のために第１の位置へ繰り出し可能であり、さらに、ケーシングの中の引き戻された第２の位置へ可動である。さらに制御ユニットは、押圧部と連動する第２の切換カムを含んでいる。筆記カートリッジをケーシングから第２の位置へ押し出すためには、押圧部を後方に向かってケーシングから引き出すが、筆記カートリッジを前方に向かって筆記位置へと変位させるためのこの「引張運動」が取扱を困難にしている。特に、この運動は、希望されている、ケーシングから前方に向かっての筆記カートリッジの前進運動と反対方向を向いている。筆記位置では、筆記カートリッジは、第１のカムの後方に向いている部分に係合するボルトによって、ケーシングの中に押し込まれないようにされている。筆記具を短くするため、および引き戻された第２の位置に筆記カートリッジを動かすためには、前述した「引張運動」と逆方向へ、ケーシングに向かう方向に押圧部を押圧する。押し縮められた短い位置では、ケーシングに対する押圧部の固定は行われないので、たとえば保持具から筆記具を引き出すときに押圧部が予期せず後方に引っ張られ、その際に筆記カートリッジが前方に向かってケーシングから引き出される。筆記位置を設定するために利用者はケーシングを片方の手でしっかり持ち、もう一方の手で押圧部を後方に向かってケーシングから引き出さなくてはならない限り、筆記具の取扱は困難である。
【０００３】
さらに欧州特許第０９６８８４３Ａ号明細書より、押圧部を含めた後側のケーシング部分が、ラックとこれに係合する歯車との伝動連結を介して、前側のケーシング部分と連結されている、可変式の筆記具が公知である。短くした筆記具を引き伸ばして筆記カートリッジを引き出すためには、押圧部を後側のケーシング部分とともに前側のケーシング部分から引き出す。
【０００４】
さらに米国特許第２６２７８４３号明細書より、ケーシングが、入れ子式に互いに押込み可能な２つの部分でできている、このような種類の筆記具が公知である。前側部分には筆記カートリッジが配置されており、この筆記カートリッジは制御ユニットによって、第１の位置のときには筆記をするためにカートリッジ先端が前側部分から突出するとともに、第２の位置のときにはカートリッジ先端が前側部分の中に引き込まれるように、軸方向へスライド可能である。制御ユニットは、軸方向へスライド可能、かつ部分的に回転可能なように配置された第１のスリーブを含んでおり、この第１のスリーブに筆記カートリッジが挟み込まれており、筆記カートリッジは必要に応じてケーシング先端を外した後に第１のスリーブから取出し可能である。回転可能な制御スリーブの外面にある短い螺旋溝に前側部分のピンが係合しているので、第１のスリーブは回転時に軸方向へスライドし、それによって筆記カートリッジが第１または第２の位置へと変位する。ケーシングの後側部分は、軸方向のスリットをもつ第２のスリーブを内部に含んでおり、このスリットには、前側部分の後端に設けられた突起が係合している。さらに後側部分の第２のスリーブは、軸方向で見て内方に向いている更なる突起を含んでおり、この更なる突起は前側部分の、制御スリーブの第２の長い螺旋溝に係合している。前側部分と後側部分を押し縮めると、後側部分に回転不能に配置されている更なるスリーブの、第１のスリーブの長い螺旋溝に係合する突起によって、第１のスリーブが相応に回転し、前側の短い螺旋溝との連動によって第１のスリーブが軸方向で見て後方に向かって変位し、それによってカートリッジ先端がケーシングの内部の、第２の位置に引き戻される。この第２の位置では、両方のケーシング部分が入れ子式に互いに押し込まれ、このケーシングは全体として短い全長を示している。筆記カートリッジないし筆記先端を第１の位置ないし筆記位置へと移動させるには、ケーシング前側部分とケーシング後側部分を軸方向で互いに引き離し、前述した機能が逆向きに進行し、第１のスリーブが筆記カートリッジとともに軸方向で前方に向かってスライドして、カートリッジ先端がケーシングから第１の位置または筆記位置へと変位する。両方のケーシング部分が完全に引き離されたとき、筆記具はその最大の長さを示している。筆記位置を設定するために、両方のケーシング部分を両手で互いに引き離さなくてはならず、第２の位置を設定するには、これと逆の運動で両方のケーシング部分を互いに押し縮める限り、筆記具の取扱は困難である。そのうえ、筆記位置でも第２の位置でも、両方のケーシング部分の、相互の係止が設けられていない。そのため、両方のケーシング部分の予期しない相対運動によって、一方では適正な筆記に支障が出る可能性があり、あるいは、他方ではカートリッジ先端が第２の位置から外に出て、そのために衣服などが筆記媒体で汚れるという危険がある。
【０００５】
以上を前提とする本発明の課題は、取扱性が向上するように筆記具を少ない構成コストで改良することである。１回の操作によって筆記カートリッジを機能させ、ないしは筆記位置に移動させ、筆記具自体が長く伸びるべきである。筆記具は通常のやり方で手で操作すべきであり、特に、筆記カートリッジを短くしたり休止位置に引き込むのと同じ種類の運動で、筆記に適したサイズになるように伸長可能であるべきである。さらに、筆記カートリッジの、両方の位置の確実な設定が保証されるべきであり、好ましくない操作が、高い機能信頼度で防止されるべきである。
【０００６】
この課題の解決は、本発明の請求項１に記載の構成要件によって行われる。
【０００７】
本発明による筆記具は、機能信頼性の高い構成と、簡単な操作性に優れており、両方の位置の操作と設定が押圧運動のみによって行われる。この筆記具は、押圧部によって操作可能な制御ユニットを含んでおり、この制御ユニットによって筆記カートリッジを筆記位置や引き戻された位置に選択的に移すことができ、その都度の操作と同期して、筆記に適したサイズまで筆記具が伸長され、または整理や保管のために筆記具が短縮される。このようにして、小型の容器、ポケット、特にズボンのポケット、メモ帳、小型のスケジュール帳、小型の日程表などに整理、保管するのに適した小型の筆記具が提供される。制御ユニットは、特に相前後して配置された２つの切換カムを備えるカム部分を含んでおり、第１の切換カムによって筆記カートリッジを筆記位置または引き込まれた位置へ移すことができ、第２の切換カムは、延長部として構成された押圧部をケーシングから繰り出し、または短縮位置に復帰させるようになっている。筆記カートリッジのための、第１の切換カムは、好ましくは、両方の可能な位置で筆記カートリッジの機能信頼性の高い係止が保証されるように、特にハート型カムとして構成されている。押圧部のための切換カムは、好ましくはロック解除用の制御カムとして構成されており、押圧部は、筆記具が短縮されたときのロック位置を初期状態として、ロック解除された後、特にばね力の作用の下で、伸長された位置へと繰り出される。カム部分は回転可能かつケーシングにおいて軸方向へスライド可能なように配置されるのが好都合であり、位置に応じて押圧部の繰り出しを防止するか、または押圧部を解放してロック解除することが出来る。
【０００８】
本発明の発展や特別な構成は、以下の説明および従属請求項に記載されている。
【０００９】
以下に、特別な実施形態を参照しながら本発明をさらに詳しく説明するが、これは本発明を限定するものではない。
【００１０】
図１は、ケーシング２を備える筆記具の軸方向の断面図を示しており、筆記カートリッジ４は第１の位置ないし筆記位置を占めており、筆記カートリッジ４の先端６は筆記のためにケーシング２の前端から押し出されている。ケーシング２の後端には押圧部８が設けられており、この押圧部は、この位置ではその後端でケーシング２から繰り出されており、ケーシングの延長部を形成している。このようにして、筆記をするときに筆記具を適正に持つことが可能である。カートリッジ先端６は、図示した筆記位置のときにケーシング２の前端から部分的に突出する、入れ子部材１０の中に案内されているのが好ましい。圧縮ばねとして構成されており、入れ子ばねと呼ばれるばね１２によって、入れ子部材１０およびこれに伴う筆記カートリッジ４が、長軸１４の方向で後方に向かって押圧されている。別案として、入れ子部材を省略することもでき、この場合、ばねは公知のやり方で筆記カートリッジに直接作用する。ケーシング２は、特に、好ましくは金属からなる実質的に円筒状のスリーブとして構成された上側部分１６と、その前端にネジ付きスリーブ１８とを含んでおり、特に互いに噛み合うネジ山２０、２１によって、固定的で、必要に応じて取外し可能な連結部が設けられている。ネジ付きスリーブ１８は、前側端部で開口部を備えるキャップ２２によって外側を包囲されている。
【００１１】
ケーシング２ないし上側部分１６の内部には、切換スリーブ２４が配置されている。切換スリーブ２４は環状に構成され、ケーシング２に固定されており、特に軸方向で固定されている。そのために、好ましくは半径方向内側に向いている上側部分１６の突起２６を有する係止連結部を設けるのが好ましい。この突起２６は環状に構成されるのが好ましく、切換スリーブ２４の付属の切欠き２８に係合しており、この切欠き２８は同じく環状に構成されるのが好都合である。別案として、この連結部は半径方向外側に向いている切換スリーブの突起を有していてもよく、それに対してケーシング２ないし上側部分１６は対応する切欠きを有している。さらに、上側部分１６の外面の上に突出し、好ましくは筆記具の転がりを防止する役目をする部材３０が、ケーシング２と結合されている。切換スリーブ２４は、前述した部材３０の対応する係止手段と連結するための係止手段３４を備える、後端の方を向いた延長部３２を含んでおり、これらの係止手段はケーシング上側部分１６の開口部を通って内方へ貫通している。このようにして、部材３０によって切換スリーブ２４の回り止めも実現される。
【００１２】
ケーシング２の内部で軸方向に固定され、かつ回り止めされている切換スリーブ２４は、カム部分３６と同じく、すでに述べた制御ユニットの構成要素である。カム部分３６はスリーブとして構成されており、中間壁４２で分離された前側の中空部３８と後側の中空部４０を含んでいる。前側の中空部３８には、カートリッジ先端６を除く筆記カートリッジ４が配置されているのに対して、後側の中空部３８には、押圧部８に作用する圧縮ばね４４が少なくとも部分的に設けられている。筆記カートリッジ４は、その後側端部ないしそこに配置された閉止栓を介して、中間壁４２の前面で支持されている。カム部分３６はその外面に、特にハート型カムとして構成された第１の切換カム４６を有している。切換スリーブ２４は、連結部材４８を介して切換カム４６と連動する。連結部材４８は切換カムまたはハート型カム４６に係合しており、切換スリーブ２４と結合された半径方向内側を向くピン４８であるのが好ましい。カム部分３６はケーシング２の中で軸方向へ可動、かつ、さらに回転可能なように配置されている。押圧部８を軸方向に、つまり、矢印５０で示す常に同じ押圧方向へ操作することによって、制御ユニットは、ケーシング２に固定された切換スリーブ２４および可動のカム部分３６と連動して、筆記カートリッジ４を第１の筆記位置か、または第２の引き戻された休止位置へと選択的に移動させる。
【００１３】
別案として、本発明の枠内で、ばね力を使わずに手動によって、ケーシングの後端から押圧部を引き出すこともできるが、この場合には、あらかじめ押圧部の押圧操作によってケーシングの前端から筆記カートリッジの先端の引き出しが行われる。また、押圧部を操作した後、まずカートリッジ先端を前端から、次に押圧部をケーシングの後端から繰り出す、伝動連結が意図されていてもよい。さらに、押圧部が繰り出された位置でケーシングに対して固定される、係止部材を設けるのが好ましい。
【００１４】
カム部分３６は、軸方向で見て第１の切換カム４６の後方に、第２の切換カム５２を有しているのが好ましく、この第２の切換カムによって押圧部８の制御と位置決めが行われる。押圧部８は、案内スリーブ５４と、これを少なくとも後端で包囲する押しボタンキャップ５６とを含んでおり、案内スリーブ５４と押しボタンキャップ５６とは特に係止部材によって確実に、かつ持続的に相互に結合されている。別案として、本発明の枠内で、押圧部８が一体的に構成されていてもよい。図面から明らかなように、押圧部８の内部に圧縮ばね４４が配置されており、それによって、図示している繰り出された位置へと押圧部８を移動させ、そこで保持する。押圧部ないし案内スリーブ５４は半径方向内側を向いている部材５８を含んでおり、この部材には、別の、つまり、半径方向外側を向いているストッパ部材６０が付属しており、押圧部が繰り出された位置のときに筆記具の後端で固定されるようになっている。ストッパ部材６０は、ばね作用のある舌部としてカム部分３６の後端に構成されるのが格別に好都合である。別案として、本発明の枠内で、軸方向後方に向かう押圧部８の運動を制限するために、ケーシング２と押圧部８が互いに対応するストッパ部材を有していてもよい。
【００１５】
さらに、好ましくは半径方向内側を向いた突起として構成された部材５８は、カム部分３６の第２の切換カム５２に係合する。第２の切換カム５２はＴ型カムとして構成されており、その前側端部に、円周方向に延びる少なくとも１つの溝部分６２を含んでいる。押圧部８が矢印５０の方向へ前方にケーシング２へ押し込まれると、部材５８は溝部分６２に達し、それによってカム部分３６の回転の結果、押し込まれた位置で押圧部８の係止が行われる。ケーシング２で回り止めされている切換スリーブ２４の前述した延長部３２は、押圧部８の内面に配置された軸方向溝と対応しており、押圧部８の回り止めが保証されるようになっている。
【００１６】
図２は筆記位置の筆記具を示しており、伸長のために押圧部８がケーシング２から繰り出されている。さらに、先端６および部分的に入れ子部材１０もケーシング２の前端から、ないしそこに配置されたケーシング２のキャップ２２から、繰り出されている。この筆記位置のとき、筆記カートリッジは上述した制御ユニットによって、および特にハート型カムとして構成された第１の切換カムとこれに付属する切換スリーブによって、ケーシング２の中へ軸方向に引き戻されないように固定されている。
【００１７】
図３は、第２の位置の筆記具を軸方向の断面図として示しており、ここでは押圧部８が大部分、矢印５０の方向への押圧運動の実施の後、ケーシング２の中に押し込まれている。手動で行うことができる押圧部８への押圧運動によって、切換スリーブ２４と、連結部材ないしピン４８と、第１の切換カム４６との連動により、カム部分３６が長軸１４の回りを回転して、押圧部８ないし案内スリーブ５４の半径方向内側を向いている部材５８が、上述した、第２の切換カム５４の、円周方向に延びる溝部分に係合する。それにより、内部に位置する圧縮ばね４４が矢印５０と反対の方向に作用する押圧部８は、予期しない繰り出しが起こらないようにされる。押圧部８はさらにケーシング２に対して回り止めされているので、押圧部８も、ケーシング２の中に引き戻されている筆記カートリッジ４の先端６も、図示している第２の位置に機能的に確実に留まる。
【００１８】
図４に、短く押し縮められた第２の位置の、筆記具が側面図として示されている。筆記具を図１および図２を参照して説明した筆記位置へ再び移行させるため、利用者は特に親指で押圧部８に矢印５０の方向へ押圧運動を実行できるように、ケーシング２を手に持つ。この押圧運動の結果、押圧部８はさらに若干深くまでケーシング２の後側端部に押し込まれ、このとき、制御ユニット、および特に第１の切換カムと切換スリーブとの連動によってカム部分が回転し、第２の切換カムが押圧部８を矢印５０と反対方向へ軸方向に移動できるように解放し、押圧部８が、内側に位置している圧縮ばねによってケーシング２から繰り出され、筆記をするときに筆記具が確実に操られる図１および図２に示す位置へ押圧部が達する。
【００１９】
図５から図７はカム部分３６を断面図と側面図で示しており、図５では簡単化のために、第１の切換カム４６は図示していない。図６によれば、第１の切換カムはハート型カムとして構成されており、繰り出された筆記位置で筆記カートリッジを固定するためにカム部分６６を含んでいる。第２の切換カム５２はＴ字型カムとして構成されるのが好ましく、ケーシングに押し込まれた第２の位置で押圧部を保持するために、円周方向に延びる少なくとも１つの溝部分６２を前端に有している。
【００２０】
図８から図１０は切換スリーブ２４を示しており、図９では、延長部３２にある係止手段３４を良く見ることができる。さらに切換スリーブ２４は、カム部分の第１の切換カムに係合する連結部材またはピン４８を受容するために、実質的に半径方向の開口部または穴６８を含んでいる。
【図面の簡単な説明】
【図１】
筆記位置にある筆記具を示す軸方向の断面図である。
【図２】
図１の筆記具を示す外観図である。
【図３】
押し縮められた第２の位置の筆記具を示す軸方向の断面図である。
【図４】
図３の筆記具を示す外観図である。
【図５】
カム部分を示す断面図と外観図である。
【図６】
カム部分を示す断面図と外観図である。
【図７】
カム部分を示す断面図と外観図である。
【図８】
切換スリーブを示す外観図と断面図である。
【図９】
切換スリーブを示す外観図と断面図である。
【図１０】
切換スリーブを示す外観図と断面図である。
【符号の説明】
２  ケーシング
４  筆記カートリッジ
６  ４の先端
８  押圧部
１０  入れ子部材
１２  ばね／入れ子ばね
１４  長軸
１６  上側部分
１８  ネジ付きスリーブ
２０、２１  ネジ山
２２  キャップ
２４  切換スリーブ
２６  １６の半径方向の突起
２８  ２４の切欠き
３０  部材／転がり防止部
３２  ２４の延長部
３４  係止手段
３６  カム部分
３８  ３６の前側の中空部
４０  ３６の後側の中空部
４２  中間壁
４４  圧縮ばね
４６  第１の切換カム
４８  ２４の連結部材／ピン
５０  矢印
５２  第２の切換カム
５４  案内スリーブ
５６  押しボタンキャップ
５８  ５４の部材
６０  ストッパ部材／舌部
６２  ５２の溝部分
６６  カム部分
６８  開口部／穴




【国際調査報告】
2004524991.tif 000032
2004524991.tif 000033
2004524991.tif 000034
2004524991.tif 000035